(57)【要約】【課題】コンテンツ再生装置において、電源の遮断が検知されてから電源が完全に遮断されるまでの時間が短くてもレジューム再生を可能とする。【解決手段】不揮発性メモリに記録された情報に基づいてコンテンツのレジューム再生を行うコンテンツ再生装置は、当該コンテンツ再生装置の電源が遮断されたことを検知する電源遮断検知部（１０１）と、電源遮断検知部（１０１）によって電源の遮断が検知されたとき、揮発性メモリに記録されているレジューム再生のために必要な情報の一部である、リアルタイムに変化する全ての情報を含む第１の情報を、不揮発性メモリに退避する第１のデータ制御部（１０２）と、揮発性メモリに記録されているレジューム再生のために必要な情報のうち、第１の情報に含まれない第２の情報が変化したとき、第２の情報を不揮発性メモリに退避する第２のデータ制御部（１０３）とを備えている。【選択図】図１
2012174287.tif 000002
【特許請求の範囲】
【請求項１】
不揮発性メモリに記録された情報に基づいてコンテンツのレジューム再生を行うコンテンツ再生装置であって、
当該コンテンツ再生装置の電源が遮断されたことを検知する電源遮断検知部と、
前記電源遮断検知部によって電源の遮断が検知されたとき、揮発性メモリに記録されているレジューム再生のために必要な情報の一部である、リアルタイムに変化する全ての情報を含む第１の情報を、前記不揮発性メモリに退避する第１のデータ制御部と、
前記揮発性メモリに記録されているレジューム再生のために必要な情報のうち、前記第１の情報に含まれない第２の情報が変化したとき、前記第２の情報を前記不揮発性メモリに退避する第２のデータ制御部とを備えている
ことを特徴とするコンテンツ再生装置。
【請求項２】
請求項１のコンテンツ再生装置において、
前記第１のデータ制御部は、前記第１の情報の退避が完了したか否かを示すフラグを前記第１の情報に付加して前記第１の情報を前記不揮発性メモリに退避し、退避が完了したとき、前記フラグを退避完了状態に設定するものであり、
当該コンテンツ再生装置は、前記フラグが退避完了状態を示す場合には、前記不揮発性メモリに退避された第１および第２の情報を用いてレジューム再生を行う一方、前記フラグが退避完了状態を示さない場合には、レジューム再生を行わない
ことを特徴とするコンテンツ再生装置。
【請求項３】
請求項１及び２のうちいずれか１つのコンテンツ再生装置において、
前記コンテンツが記録された記録媒体を、前記不揮発性メモリとして用いる
ことを特徴とするコンテンツ再生装置。
【請求項４】
請求項１のコンテンツ再生装置において、
前記揮発性メモリと、
前記不揮発性メモリとを備えている
ことを特徴とするコンテンツ再生装置。
【請求項５】
不揮発性メモリに記録された情報に基づいてコンテンツのレジューム再生を行うコンテンツ再生方法であって、
前記コンテンツを再生する再生装置の電源が遮断されたことを検知するステップと、
前記再生装置の電源の遮断が検知されたとき、揮発性メモリに記録されているレジューム再生のために必要な情報の一部である、リアルタイムに変化する全ての情報を含む第１の情報を、前記不揮発性メモリに退避するステップと、
前記揮発性メモリに記録されているレジューム再生のために必要な情報のうち、前記第１の情報に含まれない第２の情報が変化したとき、前記第２の情報を前記不揮発性メモリに退避するステップとを備えている
ことを特徴とするコンテンツ再生方法。
【請求項６】
請求項５のコンテンツ再生方法において、
前記第１の情報の退避が完了したか否かを示すフラグを前記第１の情報に付加するステップと、
前記第１の情報の退避が完了したとき、前記フラグを退避完了状態に設定するステップと、
前記フラグが退避完了状態を示すか否かに応じて、前記不揮発性メモリに退避された第１および第２の情報を用いてレジューム再生を行うか否かを判断するステップとを備えている
ことを特徴とするコンテンツ再生方法。
【発明の詳細な説明】
【技術分野】
【０００１】
本発明は、コンテンツ再生装置に関し、特に、レジューム再生を行う技術に関する。
【背景技術】
【０００２】
近年、ポータブルオーディオプレーヤーやカーナビゲーションなどの電子機器には、レジューム再生機能が搭載されるようになってきている。レジューム再生機能とは、動画や音楽などのコンテンツを再生途中で停止しても、次回再生時に停止位置から再生することができる機能である。再生時間が長いクラシック音楽や映画、あるいは数百ページにわたる電子書籍などをレジューム再生機能がない電子機器で再生する場合、再生するたびに前回の停止位置を検索する必要がある。このような操作は、コンテンツの視聴者にとって煩雑であり、利便性に欠けていることから、レジューム再生機能の重要性が伺える。
【０００３】
以下に、レジューム再生機能を有する従来のコンテンツ再生装置について、図８を用いて説明する。図８は従来のコンテンツ再生装置の構成を示すブロック図である。コンテンツ再生装置は、電源の遮断を検知する電源遮断検知部８０１と、電源遮断検知部８０１からの通知を受け、揮発性メモリ８０７に記録された情報を不揮発性メモリ８０８に退避するデータ制御部８０２と、アプリケーション８０５の指示を受けて、ＴＶ（Television）チューナやＣＤ／ＤＶＤ（Compact Disc／Digital Versatile Disc）ドライブなどのデバイス群８０６の中から１つのデバイスを選択し、選択したデバイスを動作状態に移行制御するとともに、そのデバイスから情報を読み取るデバイス制御部８０４と、デバイス制御部８０４を介して取得した情報および不揮発性メモリ８０８に退避された情報を揮発性メモリ８０７に書き込むアプリケーション８０５とから構成される（例えば、特許文献１参照）。
【０００４】
以下、従来のコンテンツ再生装置の動作について説明する。アプリケーション８０５の指示により、デバイス制御部８０４は、デバイス群８０６の中から１つのデバイスを選択し、選択されたデバイスにセットされたＣＤ等からコンテンツ情報を取得する。その後、アプリケーション８０５によって、コンテンツ情報が揮発性メモリ８０７に書き込まれるとともに、コンテンツが再生される。再生途中で電源が遮断されると、電源遮断検知部８０１は電源遮断を検知し、データ制御部８０２に通知する。データ制御部８０２は、揮発性メモリ８０７に記録されている全ての情報を不揮発性メモリ８０８に退避する。不揮発性メモリ８０８への退避が完了した後、揮発性メモリ８０７、不揮発性メモリ８０８、デバイス群８０６への電源供給が断たれる。
【０００５】
その後、電源が再度供給されると、アプリケーション８０５によって、不揮発性メモリ８０８に退避された情報が全て揮発性メモリ８０７に回復されることで、レジューム再生機能が実現される。
【先行技術文献】
【特許文献】
【０００６】
【特許文献１】特開２０１０−１４０１５６号公報
【発明の概要】
【発明が解決しようとする課題】
【０００７】
上記の構成では、揮発性メモリ８０７に記録されている全ての情報が不揮発性メモリ８０８に退避されるため、電源の遮断が検知されたときに退避される情報量が多い。したがって、全ての情報を退避するために時間がかかるため、電源の遮断が検知されてから電源が完全に遮断されるまでの時間を長くする必要がある。例えば、家庭用コンセントからパーソナルコンピュータや備付オーディオ再生機器などのコンテンツ再生装置に電源が常時供給されている状態であれば、退避する情報量が多くても全ての情報を退避するための時間を十分に確保することができる。ところが、停電などのように電源からの電力供給が突然断たれる場合、コンテンツ再生装置内のコンデンサに蓄えられた電荷が完全に放出されるまでの時間、つまり電源が完全に遮断されるまでの時間は約数十ミリ秒である。この場合、揮発性メモリ８０７に記録された全ての情報を不揮発性メモリ８０８に退避することができず、レジューム再生を行うことができなくなってしまう。
【０００８】
主電源とは別にバックアップ電源をコンテンツ再生装置に搭載し、主電源の遮断検知時に主電源からバックアップ電源に切り替えるようにすれば、主電源が突然遮断されても全ての情報を退避する時間を確保することができるが、バックアップ電源の追加に伴うコンテンツ再生装置の大型化やコストの増加という別の問題が発生してしまう。
【０００９】
かかる点に鑑みて、本発明は、コンテンツ再生装置において、電源の遮断が検知されてから電源が完全に遮断されるまでの時間が短くてもレジューム再生を可能にすることを課題とする。
【課題を解決するための手段】
【００１０】
上記課題を解決するため本発明によって次のような解決手段を講じた。例えば、不揮発性メモリに記録された情報に基づいてコンテンツのレジューム再生を行うコンテンツ再生装置は、当該コンテンツ再生装置の電源が遮断されたことを検知する電源遮断検知部と、電源遮断検知部によって電源の遮断が検知されたとき、揮発性メモリに記録されているレジューム再生のために必要な情報の一部である、リアルタイムに変化する全ての情報を含む第１の情報を、不揮発性メモリに退避する第１のデータ制御部と、揮発性メモリに記録されているレジューム再生のために必要な情報のうち、第１の情報に含まれない第２の情報が変化したとき、第２の情報を不揮発性メモリに退避する第２のデータ制御部とを備えている。
【００１１】
これによると、電源遮断検知部によって電源の遮断が検知されたときは、レジューム再生のために必要な情報の全てではなく、その一部である、リアルタイムに変化する全ての情報を含む第１の情報を不揮発性メモリに退避させ、第１の情報に含まれない第２の情報については、それが変化したときに不揮発性メモリに退避させておく。すなわち、レジューム再生のために必要な情報うち、電源の遮断が検知されてから電源が完全に遮断されるまでの間に退避する情報の量が少なくなる。したがって、電源の遮断が検知されてから電源が完全に遮断されるまでの時間が短くても、量の少ない第１の情報を不揮発性メモリに退避することができれば、退避された第１および第２の情報に基づいてレジューム再生を行うことができる。
【００１２】
また、第１のデータ制御部は、第１の情報の退避が完了したか否かを示すフラグを第１の情報に付加して第１の情報を不揮発性メモリに退避し、退避が完了したとき、フラグを退避完了状態に設定してもよい。そして、上記コンテンツ再生装置は、フラグが退避完了状態を示す場合には、不揮発性メモリに退避された第１および第２の情報を用いてレジューム再生を行う一方、フラグが退避完了状態を示さない場合には、レジューム再生を行わないようにする。
【００１３】
これによると、第１のデータ制御部が第１の情報の一部しか不揮発性メモリに退避できなかった場合、レジューム再生は行われない。したがって、不完全な第１の情報によって意図しないレジューム再生が行われることを防ぐことができる。
【００１４】
好ましくは、上記コンテンツ再生装置は、コンテンツが記録された記録媒体を不揮発性メモリとして用いる。
【００１５】
これによると、コンテンツおよびレジューム再生に必要な情報を１つの不揮発性メモリに記録することができるため、レジューム再生に必要な情報だけを記録するための不揮発性メモリを別途設ける必要がない。したがって、コンテンツ再生装置の小型化およびコスト低下を図ることができる。
【発明の効果】
【００１６】
本発明によると、コンテンツ再生装置において、電源の遮断が検知されてから電源が完全に遮断されるまでの時間が短くてもレジューム再生をすることができる。
【図面の簡単な説明】
【００１７】
【図１】本発明の一実施形態に係るコンテンツ再生装置の構成を示すブロック図である。
【図２】リアルタイムに変化する情報の構成例を示す図である。
【図３】リアルタイムに変化する情報の別の構成例を示す図である。
【図４】図２に示す情報を用いたコンテンツ再生装置の動作を説明するためのフローチャートである。
【図５】図３に示す情報を用いたコンテンツ再生装置の動作を説明するためのフローチャートである。
【図６】本発明の一実施形態に係るコンテンツ再生装置に電源が再度供給されたときの動作を説明するためのフローチャートである。
【図７】コンテンツ再生装置の別の構成を示すブロック図である。
【図８】従来のコンテンツ再生装置の構成を示すブロック図である。
【発明を実施するための形態】
【００１８】
図１は、本発明の一実施形態に係るコンテンツ再生装置の構成を示すブロック図である。図１に示すコンテンツ再生装置は、電源遮断検知部１０１、第１のデータ制御部１０２、第２のデータ制御部１０３、デバイス制御部１０４、アプリケーション１０５、デバイス群１０６、揮発性メモリ１０７、不揮発性メモリ１０８で構成することができる。
【００１９】
電源遮断検知部１０１は、コンテンツ再生装置に供給される電源が遮断されたことを検知し、検知したことを第１のデータ制御部１０２に通知する。
【００２０】
第１のデータ制御部１０２は、電源遮断検知部１０１からの通知を受けて、揮発性メモリ１０７に記録されている情報から第１の情報を抽出し、不揮発性メモリ１０８に退避する。第１の情報は、レジューム再生をするために必要な情報の一部であり、リアルタイムに変化する全ての情報を含む。例えば、第１の情報はコンテンツの現在の再生位置を示す再生位置情報である。なお、第１の情報は、再生位置情報に限られない。例えば、コンテンツの残りの再生時間を示す情報でもよい。
【００２１】
第２のデータ制御部１０３は、アプリケーション１０５の指示を受けて、揮発性メモリ１０７に記録されている情報のうち第２の情報が変化したか否かを判断し、第２の情報が変化したとき第２の情報を抽出し、不揮発性メモリ１０８に退避する。第２の情報は、レジューム再生に必要な情報のうち、第１の情報に含まれない情報であり、後述する、使用デバイス情報、ディスク情報、コンテンツ情報およびコンテンツ再生装置の状態を示す情報などである。
【００２２】
デバイス制御部１０４は、アプリケーション１０５の指示を受けて、デバイス群１０６の中から使用するデバイスを選択し、選択したデバイスを動作可能状態に移行させる。また、デバイス制御部１０４は、選択したデバイスからコンテンツ情報を取得する。
【００２３】
アプリケーション１０５は、デバイス制御部１０４に対して、コンテンツを再生するために使用するデバイスを指示し、デバイス制御部１０４を介して取得したコンテンツ情報に基づいてコンテンツの再生を行う。また、アプリケーション１０５は、デバイス制御部１０４を介して取得したコンテンツ情報および不揮発性メモリ１０８に退避された情報を揮発性メモリ１０７に書き込む。
【００２４】
デバイス群１０６は、少なくとも１つのデバイスで構成される。例えば、ＭＤ（MiniDisc）ドライブ、ＴＶチューナ、ＣＤ／ＤＶＤドライブなどで構成することができる。
【００２５】
揮発性メモリ１０７は、揮発性のデータ保持装置である。不揮発性メモリ１０８は、フラッシュメモリなどの不揮発性のデータ保持装置である。揮発性メモリ１０７および不揮発性メモリ１０８は、コンテンツ再生装置の外部に設けられていてもよい。
【００２６】
図２は、本実施形態に係るコンテンツ再生装置に用いられる第１の情報の構成例である。図２に示すように、第１の情報の例である再生位置情報は、時、分、秒からなるデータ配列で構成することができる。また、第１の情報の例として、図３に示すように、図２のデータ配列にデータ退避済フラグが付加されたデータ配列を用いてもよい。データ退避済みフラグは、第１の情報の退避が完了したか否かを示すものであり、オン状態およびオフ状態の２つの状態を持つ。データ退避済みフラグの初期値はオフ状態、すなわち退避未完了状態とする。
【００２７】
次に、第１の情報として図２に示すデータ配列を用いた場合のコンテンツ再生装置の動作について、図４を参照して説明する。
【００２８】
コンテンツ再生装置は何も処理をしていない停止状態で、デバイス群１０６のＣＤ／ＤＶＤドライブにＣＤが入っていることとする。この状態から、ＣＤに記録されているコンテンツを再生させる場合を例に挙げる。
【００２９】
Ｓ４０１において、アプリケーション１０５はデバイス群１０６の中から“ＣＤ／ＤＶＤドライブ”を選択し、現在の使用デバイスが“ＣＤ／ＤＶＤドライブ”であるという使用デバイス情報を揮発性メモリ１０７に記録する。
【００３０】
Ｓ４０２において、使用デバイス情報が“使用ドライブなし”から“ＣＤ／ＤＶＤドライブ”に変化したことによって、第２のデータ制御部１０３は揮発性メモリ１０７に記録された使用デバイス情報を不揮発性メモリ１０８に退避する。
【００３１】
Ｓ４０３において、アプリケーション１０５はＣＤからディスク情報を取得する。ディスク情報とは、例えば、ディスク使用量、コンテンツ総数、各コンテンツの名称、各コンテンツの開始位置と終了位置などＣＤに格納されているコンテンツに関する情報である。ディスク情報は揮発性メモリ１０７に記録される。
【００３２】
Ｓ４０４において、ディスク情報が揮発性メモリ１０７に記録されたことによって揮発性メモリ１０７内のディスク情報が変化したため、第２のデータ制御部１０３はディスク情報を不揮発性メモリ１０８に退避する。
【００３３】
Ｓ４０５において、アプリケーション１０５はコンテンツを再生するためのコンテンツ情報を指定する。コンテンツ情報は、例えば、コンテンツ番号、再生モードおよび再生開始時間で構成される。コンテンツ番号とは、何曲目のコンテンツを再生するかという情報である。再生モードとは、全コンテンツを再生するか、１コンテンツのみ再生するかという情報である。再生開始時間とは、再生時間が５分のコンテンツを３分の位置から再生するということを示す情報である。そして、コンテンツ再生装置の状態が停止状態から再生状態に遷移し、コンテンツの再生が開始される。また、コンテンツ情報およびコンテンツ再生装置の状態を示す情報は揮発性メモリ１０７に記録される。なお、再生位置情報が不揮発性メモリ１０８に退避されている場合、アプリケーション１０５は再生位置情報で示される時間を再生開始時間として揮発性メモリ１０７に記録する。
【００３４】
Ｓ４０６において、揮発性メモリ１０７に記録されている、コンテンツ情報およびコンテンツ再生装置の状態を示す情報が変化したことにより、第２のデータ制御部１０３は、これらの情報を不揮発性メモリ１０８に退避する。以後、コンテンツ再生装置は再生状態であり、コンテンツの再生が引き続き行われる。
【００３５】
Ｓ４０７において、アプリケーション１０５は、コンテンツを再生している間、一定の周期でコンテンツの再生位置情報を取得し続けるとともに、取得した再生位置情報を揮発性メモリ１０７に記録する。
【００３６】
Ｓ４０８において、アプリケーション１０５は、再生位置情報とＳ４０３で取得したディスク情報に含まれるコンテンツの終了位置とを比較し、一致するか否かを判断する。これらが一致する場合は、曲終端であると判断され（Ｓ４０８のＹｅｓ肢）、Ｓ４０９に移行する。一方、一致しない場合、つまり曲終端でない場合（Ｓ４０８のＮｏ肢）は、順次取得される再生位置情報と終了位置とが比較され、曲終端であると判断されるまでＳ４０７およびＳ４０８が繰り返される。
【００３７】
Ｓ４０９において、アプリケーション１０５はコンテンツの再生を停止する。これにより、コンテンツ再生装置の状態が再生状態から停止状態に遷移する。そして、アプリケーション１０５は、揮発性メモリ１０７に記録されているコンテンツ再生装置の状態を示す情報を更新する。
【００３８】
Ｓ４１０において、揮発性メモリ１０７に記録されているコンテンツ再生装置の状態を示す情報が変化したことにより、第２のデータ制御部１０３は、コンテンツ再生装置の状態を示す情報を不揮発性メモリ１０８に退避する。
【００３９】
Ｓ４１１において、アプリケーション１０５は、現在使用しているデバイスである“ＣＤ／ＤＶＤドライブ”を開放する。そして、アプリケーション１０５は、揮発性メモリ１０７に記録されている使用デバイス情報を“ＣＤ／ＤＶＤドライブ”から“使用ドライブなし”に更新する。
【００４０】
Ｓ４１２において、揮発性メモリ１０７に記録されている使用デバイス情報が変化したことにより、第２のデータ制御部は、使用デバイス情報を不揮発性メモリ１０８に退避する。以後、コンテンツ再生装置は停止状態を保つ。
【００４１】
次に、Ｓ４０８において、曲終端が検知される前、すなわちコンテンツの再生途中で電源の遮断が発生した場合の動作について説明する。
【００４２】
電源の遮断が発生すると、Ｓ４１３において、電源遮断検知部１０１によって電源の遮断が検知され、第１のデータ制御部１０２に通知される。
【００４３】
Ｓ４１４において、電源遮断検知部１０１からの通知を受けた第１のデータ制御部１０２は、揮発性メモリ１０７に記録されている情報の中から第１の情報である再生位置情報を抽出し、図２に示すデータ配列を生成する。
【００４４】
Ｓ４１５において、第１のデータ制御部１０２は、図２に示すデータ配列を先頭から順に不揮発性メモリ１０８に退避する。コンテンツの再生位置情報は、時間経過と共に変化する情報であるため、電源遮断の通知を受けた第１のデータ制御部１０２により、不揮発性メモリ１０８に退避される。そして、コンテンツ再生装置は電源が完全に遮断されるまで待機する。
【００４５】
そして、電源が遮断されてからコンテンツ再生装置に電源が再度供給されると、アプリケーション１０５は、不揮発性メモリ１０８に退避されたコンテンツ再生装置の状態を示す情報を確認する。コンテンツ再生装置の状態が再生状態であればＳ４０１からＳ４０６が自動的に行われる。このとき、Ｓ４０５において、アプリケーション１０５は、不揮発性メモリ１０８から取得した再生位置情報で示される時間を再生開始時間として揮発性メモリ１０７に記録することで、レジューム再生が可能になる。
【００４６】
以上によると、電源の遮断が検知されたとき、レジューム再生に必要な情報として第１の情報のみを不揮発性メモリ１０８に退避すればよいため、退避に要する時間が短くて済む。また、第２の情報は変化するたびに不揮発性メモリ１０８に退避されるため、退避された第２の情報は常に最新の状態である。したがって、電源の遮断が検知されてから電源が完全に遮断されるまでの時間が短くても、不揮発性メモリ１０８に退避された第１および第２の情報に基づいてレジューム再生を行うことができる。
【００４７】
次に、第１の情報として図３に示すデータ配列を用いた場合のコンテンツ再生装置の動作について、図５を参照して説明する。なお、図４および図５に示すフローチャートにおいて、同一の符号は同一の処理を示すため、異なる部分について説明する。
【００４８】
Ｓ４１６において、電源遮断検知部１０１からの通知を受けた第１のデータ制御部１０２は、揮発性メモリ１０７に記録されている情報の中から再生位置情報を抽出し、図２に示すデータ配列を生成する。
【００４９】
Ｓ４１７において、第１のデータ制御部１０２は、図２に示すデータ配列の最後尾にデータ退避済みフラグを付加する。これにより、第１の情報は、図３に示すデータ配列となる。
【００５０】
Ｓ４１８において、第１のデータ制御部１０２は、図３に示すデータ配列を、先頭から順に不揮発性メモリ１０８に退避し、退避が完了したときに最後尾のデータ退避済みフラグをオン状態、すなわち退避完了状態に設定する。
【００５１】
図６は、第１の情報として図３に示すデータ配列を用いたコンテンツ再生装置に電源が再度供給されたときの動作を説明するためのフローチャートである。
【００５２】
コンテンツ再生装置に電源が再度供給されると、Ｓ６０１において、アプリケーション１０５は第１のデータ制御部１０２が不揮発性メモリ１０８に退避したデータ配列からデータ退避済みフラグを取得する。
【００５３】
Ｓ６０２において、アプリケーション１０５はデータ退避済みフラグの状態を確認する。データ退避済みフラグがオン状態の場合（Ｓ６０２のＹｅｓ肢）、再生位置情報は不揮発性メモリ１０８に退避されていると判断され、Ｓ６０３に移行する。一方、データ退避済みフラグがオフ状態の場合（Ｓ６０２のＮｏ肢）、再生位置情報は不揮発性メモリ１０８に退避されていないと判断され、コンテンツ再生装置は停止状態に移行する。
【００５４】
Ｓ６０３において、アプリケーション１０５は不揮発性メモリ１０８に退避されているデータ退避済みフラグをオフ状態に設定する。
【００５５】
Ｓ６０４において、アプリケーション１０５は不揮発性メモリ１０８から、第２のデータ制御部１０３が退避した使用デバイス情報、ディスク情報、コンテンツ情報およびコンテンツ再生装置の状態を示す情報を取得して、揮発性メモリ１０７に書き込む。
【００５６】
Ｓ６０５において、アプリケーション１０５は不揮発性メモリ１０８から、第１のデータ制御部１０２が退避した再生位置情報を取得して、揮発性メモリ１０７に書き込む。
【００５７】
Ｓ６０６において、アプリケーション１０５はＳ６０４，Ｓ６０５で取得した情報に基づいてコンテンツの再生を再開する。
【００５８】
以上、第１の情報として図３に示すデータ配列を用いたコンテンツ再生装置によると、再生位置情報の一部が不揮発性メモリ１０８に退避された場合、データ退避済みフラグはオフ状態であるため、レジューム再生は行われない。つまり、不完全な再生位置情報に基づいて意図しない再生位置からレジューム再生が行われることを防止することができる。
【００５９】
なお、図７に示すように、デバイス群１０６には、コンテンツが記録されている、ＨＤＤ（Hard disk drive）、ＳＤ（Secure Digital）カードおよびＵＳＢ（Universal Serial Bus）メモリなどの記録媒体が含まれていてもよく、再生するコンテンツが記録されているこれらの記録媒体を不揮発性メモリ１０８として用いてもよい。これにより、レジューム再生に必要な情報だけを退避するための不揮発性メモリを別途設ける必要がないため、コンテンツ再生装置の小型化および低コスト化を図ることができる。
【産業上の利用可能性】
【００６０】
本発明に係るコンテンツ再生装置は、コンテンツのレジューム再生機能の実装が求められる各種電子機器等に有用である。
【符号の説明】
【００６１】
１０１          電源遮断検知部
１０２          第１のデータ制御部
１０３          第２のデータ制御部
１０７          揮発性メモリ
１０８          不揮発性メモリ
【図１】
2012174287.tif 000003
【図２】
2012174287.tif 000004
【図３】
2012174287.tif 000005
【図４】
2012174287.tif 000006
【図５】
2012174287.tif 000007
【図６】
2012174287.tif 000008
【図７】
2012174287.tif 000009
【図８】
2012174287.tif 000010